(57)【特許請求の範囲】
【請求項１】
移動局と複数の基地局と間の無線ネットワークの通信状態に応じて基地局管理装置が前記複数の基地局の送信電力を変更する移動通信システムにおいて、
前記移動通信システムに含まれる移動局位置情報管理装置は、前記複数の基地局それぞれの送信電力データから構成される送信電力データセットを前記複数の基地局の送信電力を変化させて複数作成し、
前記移動局位置情報管理装置は、作成された前記複数の送信電力データセットにそれぞれ対応する複数の受信電力データテーブルであって、前記複数の受信電力データテーブルそれぞれの中に、前記複数の基地局により通信がカバーされる位置検出対象領域内の複数の分割領域それぞれにおける前記複数の基地局から送信された信号の受信電力データをそれぞれ含む複数の分割領域データが含まれる前記複数の受信電力データテーブルを作成し、
前記移動局が前記位置検出対象領域内に移動した後に前記基地局管理装置が前記複数の基地局の送信電力を変更した場合に、前記移動局位置情報管理装置は、前記複数の基地局の変更後のそれぞれの送信電力データから構成される変更後送信電力データセットを前記基地局管理装置から受信し、受信した前記変更後送信電力データセットに対応する受信電力データテーブルを、作成された前記複数の受信電力データテーブルの中から選択し、
前記移動局位置情報管理装置は、前記移動局の位置情報の提供要求を外部装置から受けた場合に、前記移動局が存在する位置において前記複数の基地局から前記変更された送信電力で送信された信号のぞれぞれの受信電力データを測定するように前記移動局に指示し、
前記移動局位置情報管理装置は、前記移動局が測定したそれぞれの前記受信電力データから構成される受信電力データセットを受信し、選択された前記受信電力データテーブル中で、受信した前記受信電力データセットと差が小さい分割領域データが示す特定領域を前記移動局が存在する特定位置として検出し、検出された特定位置を示す情報を前記外部装置に送信する
ことを特徴とする移動局位置検出方法。
【請求項２】
前記移動局位置情報管理装置は、作成された前記複数の送信電力データセットの中に前記変更後送信電力データセットと一致する送信電力データセットがない場合に、前記変更後送信電力データセットに対応する受信電力データテーブルを、作成された前記複数の受信電力データテーブルを用いて作成することを特徴とする、請求項１に記載の移動局位置検出方法。
【請求項３】
前記移動局位置情報管理装置は、
作成された前記複数の送信電力データセット中の２つの送信電力データセットであって、前記複数の基地局の変更後のそれぞれの送信電力データが前記２つの送信電力データセットを構成するそれぞれの送信電力データの中間の値を有し、かつ前記変更後送信電力データセットに値が近似する前記２つの送信電力データセットを選択し、
選択された２つの送信電力データセットにそれぞれ対応する受信電力テーブルの間で、分割領域データを構成する受信電力データの重み付け平均を取ることにより、前記変更後送信電力データセットに対応する受信電力データテーブルを作成することを特徴とする、請求項２に記載の移動局位置検出方法。
【請求項４】
前記移動局位置情報管理装置は、
作成された前記複数の送信電力データセット中の２つの送信電力データセットであって、前記２つの送信電力データセットを構成するそれぞれの送信電力データが前記複数の基地局の変更後のそれぞれの送信電力データよりも小さい値を有し、かつ前記変更後送信電力データセットと１番目に値が近似する第１送信電力データセットおよび２番目に値が近似する第２送信電力データセットを選択し、
選択された前記第１送信電力データセットに対応する受信電力テーブルと前記第２送信電力データセットに対応する受信電力テーブルとを比較して、分割領域データを構成する受信電力データの減少分をそれぞれ計算し、
計算された前記それぞれの減少分を前記第１送信電力データセットに対応する受信電力テーブル中の分割領域データを構成する受信電力データにそれぞれ加算することにより、前記複数の基地局の変更後送信電力データセットに対応する受信電力データテーブルを作成することを特徴とする、請求項２に記載の移動局位置検出方法。
【請求項５】
前記移動局位置情報管理装置は、
作成された前記複数の送信電力データセット中の２つの送信電力データセットであって、前記２つの送信電力データセットを構成するそれぞれの送信電力データが前記複数の基地局の変更後のそれぞれの送信電力データよりも大きい値を有し、かつ前記変更後送信電力データセットと１番目に値が近似する第１送信電力データセットおよび２番目に値が近似する第２送信電力データセットを選択し、
選択された前記減算することにより、前記複数の基地局の変更後の送信電力データセットに対応する受信電力データテーブルを作成することを特徴とする、請求項２に記載の移動局位置検出方法。
【請求項６】
前記移動局位置情報管理装置は、
作成された前記複数の送信電力データセットの中に前記変更後送信電力データセットと一致する送信電力データセットがない場合に、作成された前記複数の送信電力データセットの中から前記変更後送信電力データセットに値が近似する複数の送信電力データセットを選択し、
前記移動局の位置情報の提供要求を受けた場合に、選択された前記複数の送信電力データセットにそれぞれ対応する前記受信電力データテーブルの中から前記受信電力データセットと差が小さい分割領域データをそれぞれ選択し、選択されたそれぞれの前記分割領域データを用いた重み付け平均により算出された分割領域データが示す特定領域を前記移動局が存在する特定位置として検出する
ことを特徴とする、請求項１に記載の移動局位置検出方法。
【請求項７】
前記移動局位置情報管理装置は、
作成された前記複数の送信電力データセット中の２つの送信電力データセットであって、前記複数の基地局の変更後のそれぞれの送信電力データが前記２つの送信電力データセットを構成するそれぞれの送信電力データの中間の値を有し、かつ前記変更後送信電力データセットに値が近似する前記２つの送信電力データセットを選択することを特徴とする、請求項６に記載の移動局位置検出方法。
【請求項８】
移動局と、前記移動局と直接接続可能な複数の基地局と、前記移動局と前記複数の基地局と間の無線ネットワークの通信状態に応じて前記複数の基地局の送信電力を変更する基地局管理装置と、前記移動局の位置情報を管理する移動局位置情報管理装置とを含む移動通信システムであって、前記移動局位置情報管理装置は、
前記複数の基地局それぞれの送信電力データから構成される送信電力出力データセットを前記複数の基地局の送信電力を変化させて複数作成し、
作成された前記複数の送信電力出力データセットにそれぞれ対応する複数の受信電力データテーブルであって、前記複数の受信電力データテーブルそれぞれの中に、前記複数の基地局により通信がカバーされる位置検出対象領域内の複数の分割領域それぞれにおける前記複数の基地局から送信された信号の受信電力データをそれぞれ含む複数の分割領域データが含まれる前記複数の受信電力データテーブルを作成し、
前記移動局が前記位置検出対象領域内に移動した後に前記基地局管理装置が前記複数の基地局の送信電力を変更した場合に、前記複数の基地局の変更後のそれぞれの送信電力データから構成される変更後送信電力データセットを前記基地局管理装置から受信し、受信した前記変更後送信電力データセットに対応する受信電力データテーブルを、作成された前記複数の受信電力データテーブルの中から選択し、
前記移動局の位置情報の提供要求を外部装置から受けた場合に、前記移動局が存在する位置において前記複数の基地局から前記変更された送信電力で送信された信号のぞれぞれの受信電力データを測定するように前記移動局に指示し、
前記移動局が測定したそれぞれの前記受信電力データから構成される受信電力データセットを受信し、選択された前記受信電力データテーブル中で、受信した前記受信電力データセットと差が小さい分割領域データが示す特定領域を前記移動局が存在する特定位置として検出し、検出された特定位置を示す情報を前記外部装置に送信する、
ことを特徴とする、移動通信システム。
【請求項９】
移動局と直接接続可能な複数の基地局それぞれの送信電力データから構成される送信電力出力データセットを前記複数の基地局の送信電力を変化させて複数作成し、作成された前記複数の送信電力出力データセットにそれぞれ対応する複数の受信電力データテーブルであって、前記複数の受信電力データテーブルそれぞれの中に、前記複数の基地局により通信がカバーされる位置検出対象領域内の複数の分割領域それぞれにおける前記複数の基地局から送信された信号の受信電力データをそれぞれ含む複数の分割領域データが含まれる前記複数の受信電力データテーブルを作成するデータベース作成部と、
前記移動局と前記複数の基地局との間の無線ネットワークの通信状態に応じて前記複数の基地局の送信電力を変更する基地局管理装置が前記移動局が前記位置検出対象領域内に移動した後に前記複数の基地局の送信電力を変更した場合に、前記複数の基地局の変更後のそれぞれの送信電力データから構成される変更後送信電力データセットを前記基地局管理装置から受信し、受信した前記変更後送信電力データセットに対応する受信電力データテーブルを、作成された前記複数の受信電力データテーブルの中から選択するデータ選択部と、
前記移動局の位置情報の提供要求を外部装置から受けた場合に、前記移動局が存在する位置において前記複数の基地局から前記変更された送信電力で送信された信号のぞれぞれの受信電力データを測定するように前記移動局に指示し、前記移動局が測定したそれぞれの前記受信電力データから構成される受信電力データセットを受信し、選択された前記受信電力データテーブル中で、受信した前記受信電力データセットと差が小さい分割領域データが示す特定領域を前記移動局が存在する特定位置として検出し、検出された特定位置を示す情報を前記外部装置に送信する移動局位置検出部と、
を含むことを特徴とする移動局位置情報管理装置。
【発明の詳細な説明】
【技術分野】
【０００１】
本発明は、移動局の位置を検出するための移動局位置検出方法、移動通信システム、および移動局位置情報管理装置に関する。
【背景技術】
【０００２】
近年、移動通信システムに属する移動局の位置に即して情報を提供する様々なアプリケーションソフトウェアが研究および開発されている。移動局の例としては、携帯電話や携帯情報端末装置等が挙げられる。こうしたアプリケーションソフトウェアを用いた情報提供を実現するためには、移動局が存在する位置を正確に把握する必要がある。
【０００３】
なお、無線端末の位置を特定する以下のような技術がある。すなわち、無線端末の候補位置の領域である矩形状の地域的領域が複数の格子状の領域に分割される。複数の基地局からそれぞれ放送された一定パワーの制御チャネルの信号強度が地域的領域内の各位置において測定される。測定された各位置と測定された各信号強度の要素とが関連付けてデータベースに記憶される。そして、無線端末の位置の特定は、無線端末が複数の基地局から受信した信号強度測定値とデータベース内の信号強度要素とがパターンマッチングされることにより行われる。
【０００４】
また、移動局の位置を検出する以下のような技術がある。すなわち、サービス領域内の各地域において、在圏基地局および複数の周辺基地局からそれぞれ送信された制御チャネルの受信電界レベルを基準移動局において測定する。位置情報センタは、測定された受信電界レベルを用いて、在圏基地局に対する各基地局の相対的な受信電界レベルを算出し、算出された各基地局の相対的受信電界レベルと各基地局の情報とを測定された各位置と関連付けてデータベースに予め記憶する。そして、移動局の位置の検出においては、複数の基地局からそれぞれ送信された制御チャネルの受信電界レベルを移動局において測定する。位置情報センタは、測定された受信電界レベルから在圏基地局を設定し、在圏基地局に対する各基地局の相対的な受信電界レベルを算出する。位置情報センタは、算出された相対的受信電界レベルとデータベースに予め記憶された在圏基地局の相対的受信電界レベルとの差が最小となるデータから移動局の位置を検出する。
【先行技術文献】
【特許文献】
【０００５】
【特許文献１】特表２００７−５３２０２６号公報
【特許文献２】特開平７−２３１４７３号公報
【発明の概要】
【発明が解決しようとする課題】
【０００６】
ビル内や地下街等の屋内およびビル陰等の地域のように、屋外に設置された基地局によって通信エリアをカバーすることが難しい地域が存在し得る。こうした地域における通信を可能にするために、送信電力の小さい複数の小型基地局が設置され得る。また、特定地域に存在する移動局を対象に情報提供するために、送信電力の小さい複数の小型基地局が設置され得る。
【０００７】
複数の小型基地局を配置することによって通信エリアがカバーされる場合、小型基地局間における電波干渉を少なくするために、各小型基地局のセル端付近では、小型基地局からの電波の受信電力が小さくなるように設定される。このため、電波の受信電力が小さい位置に存在する移動局は、小型基地局と接続しにくくなり、あるいは接続できてもスループットが低下する。
【０００８】
そこで、接続がしにくくなったり、スループットが低下する通信エリアをなくすために、各小型基地局の送信電力を適宜調整して、各小型基地局のセルの範囲を自動調整する技術が提案されている。例えば、移動通信規格であるLong term Evolution（ＬＴＥ）におけるSelf-Organization Network（ＳＯＮ）と称される無線通信ネットワークの最適化技術の一機能として、この技術が提案されている。
【０００９】
このような基地局の送信電力が調整される移動通信システムにおいても、例えば前述したような移動局の位置に即した情報提供を実現するためには、移動局の位置が正確に把握される必要がある。
【００１０】
しかしながら、周知技術として前述した移動局の位置推定方法では、基地局の一定送信電力でのデータベースが予め用意されており、基地局の送信電力が適宜変更されることは予定されていない。このため、周知技術として前述した移動局の位置推定方法では、基地局の送信電力が変更されると、予め用意されたデータベースを用いても移動局の位置を正確に検出することができなくなる。
【００１１】
本発明の課題は、基地局の送信電力が調整される移動通信システムにおいて、移動局の位置を正確に検出するための移動局位置検出方法、移動通信システム、および移動局位置情報管理装置を提供することである。
【課題を解決するための手段】
【００１２】
一実施形態に従った移動局位置検出方法は、移動局と複数の基地局と間の無線ネットワークの通信状態に応じて基地局管理装置が複数の基地局の送信電力を変更する移動通信システムにおいて、移動通信システムに含まれる移動局位置情報管理装置は、複数の基地局それぞれの送信電力データから構成される送信電力出力データセットを複数の基地局の送信電力を変化させて複数作成する。移動局位置情報管理装置は、作成された複数の送信電力出力データセットにそれぞれ対応する複数の受信電力データテーブルであって、複数の受信電力データテーブルそれぞれの中に、複数の基地局により通信がカバーされる位置検出対象領域内の複数の分割領域それぞれにおける複数の基地局から送信された信号の受信電力データをそれぞれ含む複数の分割領域データが含まれる複数の受信電力データテーブルを作成する。移動局が位置検出対象領域内に移動した後に基地局管理装置が複数の基地局の送信電力を変更した場合に、移動局位置情報管理装置は、複数の基地局の変更後のそれぞれの送信電力データから構成される変更後送信電力データセットを基地局管理装置から受信し、受信した変更後送信電力データセットに対応する受信電力データテーブルを、作成された複数の受信電力データテーブルの中から選択する。移動局位置情報管理装置は、移動局の位置情報の提供要求を外部装置から受けた場合に、移動局が存在する位置において複数の基地局から変更された送信電力で送信された信号のぞれぞれの受信電力データを測定するように移動局に指示する。移動局位置情報管理装置は、移動局が測定したそれぞれの受信電力データから構成される受信電力データセットを受信し、選択された受信電力データテーブル中で、受信した受信電力データセットと差が小さい分割領域データが示す特定領域を移動局が存在する特定位置として検出し、検出された特定位置を示す情報を外部装置に送信する。
【００１３】
一実施形態に従った移動通信システムは、移動局と、移動局と直接接続可能な複数の基地局と、移動局と複数の基地局と間の無線ネットワークの通信状態に応じて複数の基地局の送信電力を変更する基地局管理装置と、移動局の位置情報を管理する移動局位置情報管理装置とを含む。また、移動局位置情報管理装置は、複数の基地局それぞれの送信電力データから構成される送信電力出力データセットを複数の基地局の送信電力を変化させて複数作成し、作成された複数の送信電力出力データセットにそれぞれ対応する複数の受信電力データテーブルであって、複数の受信電力データテーブルそれぞれの中に、複数の基地局により通信がカバーされる位置検出対象領域内の複数の分割領域それぞれにおける複数の基地局から送信された信号の受信電力データをそれぞれ含む複数の分割領域データが含まれる複数の受信電力データテーブルを作成する。移動局位置情報管理装置は、移動局が位置検出対象領域内に移動した後に基地局管理装置が複数の基地局の送信電力を変更した場合に、複数の基地局の変更後のそれぞれの送信電力データから構成される変更後送信電力データセットを基地局管理装置から受信し、受信した変更後送信電力データセットに対応する受信電力データテーブルを、作成された複数の受信電力データテーブルの中から選択する。移動局位置情報管理装置は、移動局の位置情報の提供要求を外部装置から受けた場合に、移動局が存在する位置において複数の基地局から変更された送信電力で送信された信号のぞれぞれの受信電力データを測定するように移動局に指示する。移動局位置情報管理装置は、移動局が測定したそれぞれの受信電力データから構成される受信電力データセットを受信し、選択された受信電力データテーブル中で、受信した受信電力データセットと差が小さい分割領域データが示す特定領域を移動局が存在する特定位置として検出し、検出された特定位置を示す情報を外部装置に送信する。
【００１４】
一実施形態に従った移動局位置情報管理装置は、移動局と直接接続可能な複数の基地局それぞれの送信電力データから構成される送信電力出力データセットを複数の基地局の送信電力を変化させて複数作成し、作成された複数の送信電力出力データセットにそれぞれ対応する複数の受信電力データテーブルであって、複数の受信電力データテーブルそれぞれの中に、複数の基地局により通信がカバーされる位置検出対象領域内の複数の分割領域それぞれにおける複数の基地局から送信された信号の受信電力データをそれぞれ含む複数の分割領域データが含まれる複数の受信電力データテーブルを作成するデータベース作成部と、移動局と複数の基地局との間の無線ネットワークの通信状態に応じて複数の基地局の送信電力を変更する基地局管理装置が移動局が位置検出対象領域内に移動した後に複数の基地局の送信電力を変更した場合に、複数の基地局の変更後のそれぞれの送信電力データから構成される変更後送信電力データセットを基地局管理装置から受信し、受信した変更後送信電力データセットに対応する受信電力データテーブルを、作成された複数の受信電力データテーブルの中から選択するデータ選択部と、移動局の位置情報の提供要求を外部装置から受けた場合に、移動局が存在する位置において複数の基地局から変更された送信電力で送信された信号のぞれぞれの受信電力データを測定するように移動局に指示し、移動局が測定したそれぞれの受信電力データから構成される受信電力データセットを受信し、選択された受信電力データテーブル中で、受信した受信電力データセットと差が小さい分割領域データが示す特定領域を移動局が存在する特定位置として検出し、検出された特定位置を示す情報を外部装置に送信する移動局位置検出部と、を含む。
【発明の効果】
【００１５】
実施形態の移動局位置検出方法、移動通信システム、および移動局位置情報管理装置によれば、基地局の送信電力が調整される移動通信システムにおいて、移動局の位置を正確に検出することができる。
【図面の簡単な説明】
【００１６】
【図１】実施形態に従った移動通信システムの構成の例図である。
【図２】実施形態に従った基地局の機能的構成図である。
【図３】実施形態に従ったアクセスネットワーク制御装置の機能的構成図である。
【図４】実施形態に従った基地局管理装置の機能的構成図である。
【図５】実施形態に従った移動局位置情報管理装置の機能的構成図である。
【図６】実施形態に従った移動局接続前の位置検出処理シーケンスの例図である。
【図７】実施形態に従ったデータベース作成処理フローの例図である。
【図８】受信電力データ測定処理フローの例図である。
【図９】受信電力データ測定処理フローの説明図である。
【図１０】送信電力データセットテーブルの例図である。
【図１１】受信電力データテーブルの例図である。
【図１２】実施形態に従った移動局接続後の位置検出処理シーケンスの例図である。
【図１３】第１実施形態に従ったデータベース選択処理フローの例図である。
【図１４】実施形態に従った特定領域検出処理シーケンスの例図である。
【図１５】第１実施形態に従った特定領域検出処理フローの例図である。
【図１６】第２実施形態に従ったデータベース選択処理フローの例図である。
【図１７】第２実施形態に従った特定領域検出処理フローの例図である。
【発明を実施するための形態】
【００１７】
以下、図面を参照しながら、実施形態を詳細に説明する。
図１は、実施形態に従った移動通信システムの構成の例図である。
【００１８】
図１に示した移動通信システム１には、移動局１０−１〜１０−２、基地局２０−１〜２０−５、伝送ネットワーク３０、およびコアネットワーク４０が含まれる。
【００１９】
なお、図１には、２つの移動局１０−１〜１０−２、および５つの基地局２０−１〜２０−５が示されている。しかしながら、移動通信システム１に含まれる移動局１０および基地局２０の数は、これらの数に限定されない。以下の説明において、移動局１０−１〜１０−２を区別しない場合には、移動局１０と表記する。また、基地局２０−１〜２０−５を区別しない場合には、基地局２０と表記する。
【００２０】
移動局１０は、例えば、ＬＴＥにおけるUser Equipment（ＵＥ）である。
基地局２０は、例えば、Home eNodeB（ＨｅＮＢ）である。基地局２０は、自局のセル内の移動局１０と直接接続し得る。図１に示した移動通信システム１では、基地局２０−２は、自局のセル２０ｃ−２内に存在する移動局１０−１と接続し得る。また、基地局２０−４は、自局のセル２０ｃ−４内に存在する移動局１０−２と接続し得る。以下の説明において、セル２０ｃ−１〜２０ｃ−５を区別しない場合には、セル２０ｃと表記する。
【００２１】
伝送ネットワーク３０は、複数の基地局２０とコアネットワーク４０の各装置とを相互に接続するInternet Protocol（ＩＰ）ネットワークである。伝送ネットワーク３０は、例えば、S1/X2 flex Networkである。伝送ネットワーク３０には、ネットワーク装置相互を接続する伝送装置（図示せず）が含まれ得る。
【００２２】
コアネットワーク４０には、アクセス制御ネットワークである。コアネットワーク４０には、アクセスネットワーク制御装置５０、基地局管理装置６０、移動局位置情報管理装置７０、ユーザトラフィックゲートウェイ８０、および外部ネットワーク接続ゲートウェイ９０が含まれる。
【００２３】
アクセスネットワーク制御部５０は、移動局１０と基地局２０との接続確立やハンドオーバ制御等のアクセスネットワークの制御を行う装置であり、例えば、Mobility Management Entity（ＭＭＥ）である。
【００２４】
基地局管理装置６０は、基地局２０および基地局２０と接続された移動局１０に関する通信品質データを取得し、基地局２０の動作を監視および制御する装置である。基地局管理装置６０が行なう監視および制御には、移動局１０と基地局２０との間の無線ネットワークの通信状態を最適化するために、各基地局２０の送信電力を調整する処理が含まれる。基地局管理装置７０は、例えば、ＨｅＮＢ‐Management System(ＭＳ)である。
【００２５】
移動局位置情報管理装置７０は、基地局２０によりカバーされる位置検出対象領域内に存在する移動局の位置情報を管理する装置である。また、移動局位置情報管理装置７０は、実施形態に従った移動局の位置検出方法に従って、位置検出対象領域内に存在する移動局１０の特定領域（特定位置）を検出する装置である。
【００２６】
位置検出対象領域は、同一の基地局管理装置６０により管理および制御される基地局２０によってカバーされる通信エリアである。また、位置検出対象領域は、例えば、基地局２０と接続する移動局１０が存在する位置に応じてアプリケーションソフトウェアによる情報提供が行なわれる地理的領域である。
【００２７】
移動局位置情報管理装置７０を含む移動通信システム１によって実行される実施形態に従った位置検出処理の詳細については、後述する。移動局位置情報管理装置７０は、例えば、ＵＥ−Location Center（ＬＣ）である。
【００２８】
なお、図１に示した移動通信システム１では、アクセスネットワーク制御部５０、基地局管理装置６０、および移動局位置情報管理装置７０を別々の装置として示している。しかしながら、これらの装置が有する機能が、例えばネットワーク監視装置といった１つの装置に実装されるように構成してもよい。
【００２９】
ユーザトラフィックゲートウェイ８０は、外部ネットワーク接続ゲートウェイ９０との間でユーザパケットデータを中継する装置であり、例えばServing - Gateway（Ｓ−ＧＷ）である。
【００３０】
外部ネットワーク接続ゲートウェイ９０は、外部のインターネットやイントラネット等に接続するための処理を実行する装置であり、例えば、Packet data network - Gateway（Ｐ−ＧＷ）である。外部ネットワーク接続ゲートウェイ９０は、移動通信システム１の外部の装置と接続し得る。移動通信システム１の外部の装置としては、例えば、位置検出対象領域内の特定領域に存在する移動局１０へ情報提供を行なうアプリケーションソフトウェアに従って処理を実行する装置が挙げられる。
【００３１】
移動通信システム１に含まれる基地局２０、アクセスネットワーク制御装置５０、基地局管理装置６０、および移動局位置情報管理装置７０の機能的構成の一例を図２〜図６を参照しながら説明する。
【００３２】
図２は、実施形態に従った基地局の機能的構成図である。
図２に示した基地局２０は、制御部２１０、ベースバンド処理部２２０、レイヤ２（Ｌ２）スイッチ２３０、伝送路インタフェース２４０、Input/output(Ｉ／Ｏ)ポート２５０、Analog/Digital（Ａ／Ｄ）変換器２６０、増幅器２７０、およびアンテナ２８０を含む。
【００３３】
制御部２１０は、基地局２０全体の制御を行い、制御部２１０に含まれる各部２１１〜２１７の処理を所定の通信プロトコルに従って実行する。制御部２１０は、メッセージ処理部２１１、呼処理部２１２、リソース管理部２１３、移動局及び基地局間接続管理部２１４、ハンドオーバ制御部２１５、測定指示及び結果判定部２１６、および装置各処理部監視制御部２１７を含む。メッセージ管理部２１１は、受信部２１１ａ、分析部２１１ｂ、プロトコル処理部２１１ｃ、および送信部２１１ｄを含む。制御部２１０は、例えば、Central Processing Unit（ＣＰＵ）である。
【００３４】
ベースバンド処理部２２０は、伝送路インタフェース２４０を介して受信したＩＰパケットと移動局１０へ向けての無線信号と間のベースバンド信号の処理を行う。ベースバンド処理部２２０は、対制御部通信部２２１、トラフィック管理部２２２、トラフィック転送部２２３、トラフィック監視及びセル状態監視部２２４、秘匿設定及び解除部２２５、Media Access Control（ＭＡＣ）多重分離部２２６、同期確立部２２７、およびページング処理部２２８を含む。ベースバンド処理部２２０は、例えば、Digital Signal Processor（ＤＳＰ）である。
【００３５】
制御部２１０およびベースバンド処理部２２０は、Ｌ２スイッチ２３０を介して接続される。ベースバンド処理部２２０により処理されたベースバンド信号は、Ｉ／Ｏポート２５０、Ａ／Ｄ変換器２６０、および増幅器２７０を経てアンテナ２８０から移動局１０に送信される。
【００３６】
図３は、実施形態に従ったアクセスネットワーク制御装置の機能的構成図である。
アクセスネットワーク制御装置５０は、処理部５１０、制御部５２０、および伝送路インタフェース５３０を含む。
【００３７】
処理部５１０は、呼処理部５１１、リソース管理部５１２、測定指示及び結果分析部５１３、ハンドオーバ制御部５１４、装置監視制御部５１５、配下基地局管理制御部５１６、およびプロトコル処理部５１７を含む。プロトコル処理部５１７は、Ｓ１−Interface（ＩＦ）処理部５１７ａ、Ｓ１１−ＩＦ処理部５１７ｂ、およびＳ６−ＩＦ処理部５１７ｃを含む。
【００３８】
制御部５２０は、アクセスネットワーク制御装置５０全体を制御し、処理部５１０に含まれる各部５１１〜５１７の処理を制御する。
【００３９】
処理部５１０および制御部５２０は、例えば、ＣＰＵである。
伝送路インタフェース５３０は、移動局位置情報管理装置６０や基地局管理装置７０等のコアネットワーク４０内の他の装置、および伝送ネットワーク内の装置と接続するインタフェースである。
【００４０】
図４は、実施形態に従った基地局管理装置の機能的構成図である。
基地局管理装置６０は、処理部６１０、制御部６２０、および伝送路インタフェース６３０を含む。
【００４１】
処理部６１０は、基地局管理部６１１、無線ネットワーク最適化部６１２、基地局プラグアンドプレイ制御部６１３、対アクセスネットワーク制御装置通信制御部６１４、対移動局位置情報管理装置通信制御部６１５、および設定及びファイル管理兼ソフトウェアダウンロード部６１６を含む。
【００４２】
基地局管理部６１１は、基地局管理装置６０の配下に設置された基地局２０を管理する。基地局管理部６１１は、基地局登録及び削除部６１１ａ、基地局障害監視部６１１ｂ、および基地局無線出力制御部６１１ｃを含む。
【００４３】
無線ネットワーク最適化部６１２は、基地局２０の送信電力やアンテナ角度等の設定パラメータを決定および変更することにより、移動局１０と基地局２０との間の無線ネットワークの通信状態を最適化する。無線ネットワーク最適化部６１２による処理は、基地局２０の設置段階、無線ネットワークの構築段階、無線ネットワークの運用段階のそれぞれにおいて行われ得る。無線ネットワーク最適化部６１２による処理は、例えば、3rd Generation Partnership Project（３ＧＰＰ）においてＬＴＥの機能として採用され、および／または検討されているＳＯＮ機能の処理であり得る。
【００４４】
無線ネットワーク最適化部６１２は、状態取得部６１２ａおよび改良制御部６１２ｂを含む。
【００４５】
状態取得部６１２ａは、発着信成功／失敗数、呼切断数、ハンドオーバ成功／失敗数、およびトラフィック量等、移動局１０と基地局２０との間の通信状態のデータを各基地局２０のセル２０単位で統計的に取得する。また、状態取得部６１２ａは、各基地局の送信電力、移動局１０が測定した各基地局２０の信号の受信電力、基地局間での干渉信号レベル等の、移動局１０と基地局２０の無線区間の通信品質データを取得する。
【００４６】
改良制御部６１２ｂは、状態取得部６１２ａにより取得されたデータを基づいて、無線ネットワークの通信状態を判定する。そして、改良制御部６１２ｂは、無線ネットワークの通信状態の判定結果に基づいて、通信状態が改善されるように所定のアルゴリズムに従って基地局２０の送信電力等の基地局２０の設定パラメータを変更する。
【００４７】
制御部６２０は、基地局管理装置６０全体を制御し、処理部６１０に含まれる各部６１１〜６１６の処理を制御する。
【００４８】
処理部６１０および制御部６２０は、例えば、ＣＰＵである。
伝送路インタフェース６３０は、アクセスネットワーク制御装置５０等のコアネットワーク４０の他の装置と接続するインタフェースである。
【００４９】
図５は、実施形態に従った移動局位置情報管理装置の機能的構成図である。
図５に示した移動局位置情報管理装置７０は、処理部７１０、制御部７２０、および伝送路インタフェース７３０を含む。
【００５０】
処理部７１０は、データベース処理部７１１、移動局位置情報処理部７１２、および通信制御部７１３を含む。
【００５１】
データベース処理部７１１は、データベース作成部７１１ａ、データ検索部７１１ｂ、データ選択部７１１ｃ、および記憶部７１１ｄを含む。
【００５２】
データベース作成部７１１ａは、位置検出対象領域内に存在する移動局１０の特定領域（特定位置）を移動局位置情報処理部７１２が検出する際に用いられるデータベースを作成し、作成されたデータベースを記憶部７１１ｄに記録する。実施形態では、各基地局２０の送信電力は、基地局管理装置６０により変更され得る。そこで、データベース作成部７１１ａは、各基地局２０の送信電力の変更に対応するデータベースを作成する。
【００５３】
データ検索部７１１ｂは、移動局位置情報処理部７１２が移動局１０の特定領域を検出する際に用いられるデータをデータベース内から検索する。
【００５４】
データ選択部７１１ｃは、基地局２０の運用中の送信電力に応じて、移動局位置情報処理部７１２が移動局１０の特定位置を検出する際に用いられるデータをデータベース内から選択および取得する。
【００５５】
記憶部７１１ｄは、データベース作成部７１１ａにより作成されたデータベースを記憶する。
【００５６】
移動局位置情報処理部７１２は、移動局位置情報登録及び削除部７１２ａ、移動局位置検出部７１２ｂ、および移動局位置情報保持部７１２ｃを含む。
【００５７】
移動局位置情報登録及び削除部７１２ａは、位置検出対象領域内に存在する移動局１０の位置情報を登録する。また、移動局位置情報登録及び削除部７１２ａは、位置検出対象領域外に移動した移動局１０の位置情報を削除する。
【００５８】
移動局位置検出部７１２ｂは、各基地局２０から移動局１０が受信した電波の受信電力データと記憶部７１１ｄに記録されたデータベースとを用いて、位置検出対象領域内に存在する移動局１０の特定領域を検出する。
【００５９】
移動局位置情報保持部７１２ｃは、移動局位置検出部７１２ｂにより検出された移動局１０の位置検出対象領域内の特定領域を示す位置情報を保持する。
【００６０】
通信制御部７１３は、対アプリケーション通信制御部７１３ａ、対基地局通信制御部７１３ｂ、および対アクセスネットワーク制御装置通信制御部７１３ｃを含む。
【００６１】
対アプリケーション通信制御部７１３ａは、アプリケーションソフトウェアに従った処理を実行する装置と移動局位置情報管理装置７０との間の通信を制御する。アプリケーションソフトウェアは、例えば、特定領域に存在する移動局１０に情報を提供するソフトウェアである。対基地局通信制御部７１３ｂは、基地局２０と移動局位置情報管理装置７０との間の通信を制御する。対アクセスネットワーク制御装置通信制御部７１３ｃは、アクセスネットワーク制御部５０と移動局位置情報管理装置７０との間の通信を制御する。
【００６２】
制御部７２０は、移動局位置情報管理装置７０全体を制御し、処理部７１０の各部７１１〜７１３が行う処理を制御する。
【００６３】
記憶部７１１ｄを除く処理部７１０の各部および制御部７２０は、例えば、ＣＰＵである。記憶部７１１ｄは、例えば、主記憶装置である。
【００６４】
伝送路インタフェース７３０は、アクセスネットワーク制御装置等のコアネットワーク４０の他の装置と接続するインタフェースである。
【００６５】
無線通信システム１に含まれる各装置によって実行される実施形態に従った移動局の位置検出方法を説明する。なお、図面を参照しながら以下で説明する処理は、一例にすぎず、必ずしも時系列的に処理されなくてもよく、並列的にもしくは個別に実行されてもよい処理が含まれる。また、実施形態に従った移動局の位置検出処理は、図面を参照しながら以下で説明する処理以外の処理を付加できないこと意味しない。
【００６６】
実施形態に従った移動局の位置検出処理は、移動局１０と基地局２０との接続前に予め行なわれる処理と、移動局１０と基地局２０との接続後に行われる処理を含む。
【００６７】
まず、移動局１０と基地局２０との接続前に予め行なわれる、実施形態に従った移動局の位置検出処理について説明する。以下で説明するように、移動局１０と基地局との接続前に予め行なわれる処理には、データベース作成処理が含まれる。
【００６８】
図６は、実施形態に従った移動局接続前の位置検出処理シーケンスの例図である。
図６に示すように、まず、基地局２０が所定の位置に設置されると（ｐ６０１）、基地局２０は、アクセスネットワーク制御装置５０を介して（ｐ６０２）、自装置２０の登録要求を基地局管理装置６０に行なう（ｐ６０３）。基地局管理装置６０では、基地局登録及び削除部６１１ａによって基地局２０の登録が行われる（ｐ６０４）。そして、基地局無線出力制御部６１１ｃは、無線ネットワーク最適化部６１２、および設定及びファイル管理兼ソフトウェアＤＬ部６１６によって設定された所定の標準送信電力を、アクセスネットワーク制御装置６０を介して（ｐ６０５）基地局２０に通知する（ｐ６０６）。基地局２０は、基地局管理装置６０から通知された所定の標準送信電力を用いた動作を開始する。以上の処理は、設置されるすべての基地局２０に対して行われる。
【００６９】
基地局２０に対する設置時に実行される処理が完了すると、移動局位置情報管理装置７０は、データベースの作成処理を開始する（ｐ６０７）。移動局位置情報管理装置７０により作成されるデータベースは、位置検出対象領域内に存在する移動局１０の特定領域（特定位置）を移動局位置検出部７１２ｂが検出する処理に用いられるデータベースである。
【００７０】
図７は、実施形態に従ったデータベース作成処理フローの例図である。
図７に示すステップｓ７０１において、移動局位置情報管理装置７０のデータベース作成部７１１ａは、位置検出対象領域を複数の領域（分割領域）に分割する。
【００７１】
位置検出対象領域は、例えば、基地局２０と接続する移動局１０が存在する位置に応じてアプリケーションソフトウェアよる情報提供が行なわれる地理的領域である。また、位置検出対象領域は、同一の基地局管理装置６０により登録および管理された基地局２０によってカバーされる通信エリアである。仮に、登録された基地局２０を基地局管理装置６０がグループ分けして管理する場合には、位置検出対象領域は、各グループの基地局２０によりカバーされる通信エリアであり得る。この場合、同一の基地局管理装置６０に登録されたすべての基地局２０によりカバーされる通信エリア内に複数の位置検出対象領域が存在し得る。
【００７２】
また、位置検出対象領域の分割方法は、位置検出対象領域の広さ、移動局１０の位置検出として要望される領域の広さ、および位置検出処理に要求される処理速度等の要素に従い決定される。決定された分割方法に関するデータは、伝送路インタフェース７３０を介してデータベース作成部７１１ａに予め送信されるか、移動局位置情報管理装置７０内の主記憶装置に予め記録されてデータベース作成部７１１ａにより読み出され得る。
【００７３】
ステップｓ７０２において、データベース作成部７１１ａは、位置検出対象領域の通信をカバーする各基地局２０の運用中の送信電力データを基地局管理装置６０に要求する（ｐ６０８）。各基地局２０の運用中の送信電力は、例えば、送信電力が設置時から変更されていない場合には設置時に設定された標準送信電力である。基地局管理装置６０は、位置検出対象領域の通信をカバーする各基地局２０の運用中の送信電力データを移動局位置情報管理装置７０に送信する（ｐ６０９）。
【００７４】
ステップｓ７０３では、データベース作成部７１１ａは、取得された各基地局２０の運用中の送信電力データにより構成される送信電力データセットを作成する。そして、データベース作成部７１１ａは、作成された送信電力データセットを記憶部７１１内の送信電力データセットテーブルに記録する。送信電力データセットテーブルは、実施形態のデータベースの一部である。
【００７５】
ステップｓ７０４では、ステップｓ７０３で作成および記録された送信電力データセットを対象として、各基地局２０から送信された信号の受信電力が位置検出対象領域内の各分割領域において測定される。
【００７６】
すなわち、まず、受信電力を測定する測定器１０ｍ、基地局２０、およびアクセスネットワーク装置５０との間でセッションが確立され、各基地局２０から送信された信号の受信電力を測定器１０ｍが測定するための測定準備が完了する（ｐ６１０）。測定器１０ｍは、移動局１０と同様に基地局から受信した信号の受信電力を測定する機能を有する任意の装置であってよい。
【００７７】
データベース作成部７１１ａは、アクセスネットワーク制御装置５０および基地局２０を介して（ｐ６１１、ｐ６１２）、各基地局２０から送信された無線信号の受信電力を位置検出対象領域内の各分割領域において測定するように測定器１０ｍに指示する（ｐ６１３）。
【００７８】
データベース作成部７１１ａより指示を受けた測定器１０ｍは、位置検出対象領域中の各分割領域において、各基地局２０から送信された無線信号の受信電力を測定する（ｐ６１４）。
【００７９】
図８は、受信電力データ測定処理フローの例図である。図９は、受信電力データ測定処理フローの説明図である。
【００８０】
ステップｓ８０１において、測定器１０ｍは、位置検出対象領域中の測定開始位置に移動する。
【００８１】
例えば、図９には、一例として、方形状の位置検出対象領域９００が示されている。図９に示していないが、位置検出対象領域９００内には、位置検出対象領域９００の通信をカバーする基地局２０が存在する。方形状の位置検出対象領域９００は、図９の水平方向をＸ軸、垂直方向をＹ軸とし、図面左上をＸ軸およびＹ軸の原点としたときに、Ｘ軸の領域番号ｘが１〜１５の１５個、Ｙ軸の領域番号ｙが１〜１０の１０個の分割領域に、ステップｓ７０１でのデータベース作成部７１１ａの処理よって分割されている。位置検出対象領域９００の例では、測定器１０ｍは、測定開始位置として、領域番号ｘおよびｙが共に１である分割領域に移動する。
【００８２】
ステップｓ８０２において、測定器１０ｍは、各基地局２０から受信した信号の受信電力を自装置１０ｍが存在する分割領域において測定する。
【００８３】
ステップｓ８０３では、測定器１０ｍは、位置検出対象領域のすべての分割領域に対して受信電力を測定したか否かを判定する。
【００８４】
位置検出対象領域内の任意の分割領域に対して受信電力をまだ測定していないと判定する場合（ステップｓ８０３で“ＮＯ”）、ステップｓ８０４において、測定器１０ｍは、未測定の分割領域に移動する。例えば、図９に示した位置検出対象領域９００では、測定器１０ｍは、Ｘ軸の領域番号ｘの値を１つインクリメントして、領域番号ｘが２で領域番号ｙが１の分割領域に移動する。そして、測定器１０ｍによる受信電力データ測定処理は、ステップ８０２の処理に戻る。
【００８５】
このようなステップｓ８０２〜ステップｓ８０３の処理は、位置検出対象領域内のすべての分割領域に対して受信電力が測定されるまで繰り返される。図９に示した位置検出対象領域９００では、領域番号ｘが１で領域番号ｙが１０の測定終了位置である分割領域での受信電力測定が完了するまで繰り返される。
【００８６】
位置検出対象領域のすべての分割領域に対して受信電力を測定したと判定する場合（ステップｓ８０３で“ＹＥＳ”）、ステップｓ８０５に処理が進み、測定器１０ｍは、ステップｓ７０３で作成および記録された送信電力データセットを対象とした位置検出対象領域内の受信電力測定を完了する。
【００８７】
１つの送信電力データセットを対象とした受信電力測定が完了すると、測定器１０ｍは、測定された受信電力測定データを基地局２０およびアクセスネットワーク制御装置５０を介して（ｐ６１５、ｐ６１６）、データベース作成部７１１ａに送信する（ｐ６１７）。
【００８８】
ステップｓ７０５において、データベース作成部７１１ａは、測定器１０ｍから受信した受信電力測定データを基に、受信電力データテーブルを作成する。受信電力データテーブルは、送信電力データセットテーブルと共に、実施形態のデータベースの一部である。
【００８９】
データベース作成部７１１ａは、作成された受信電力データテーブルと測定対象とされた送信電力データセットとを検索可能な１組として記憶部７１１ｄ内のデータベースに記憶する。
【００９０】
ステップｓ７０６において、データベース作成部７１１ａは、所定数の送信電力データセットに対する位置検出対象領域内の受信電力測定が完了したか否かを判定する（ｐ６１８）。
【００９１】
所定数の送信電力データセットに対する受信電力測定が完了していない場合（ステップｓ７０６で“ＮＯ”）、ステップｓ７０７において、データベース作成部７１１ａは、基地局２０の送信電力の変更を基地局管理装置６０に依頼する（ｐ６１９）。基地局管理装置６０は、基地局２０の送信電力を変更し、変更後の送信電力データが付された送信電力の変更指示をアクセスネットワーク制御装置５０を介して（ｐ６２０）基地局２０に行なう（ｐ６２１）。送信電力の変更指示を受けた基地局２０は、指示に付された変更後の送信電力データに従って自装置２０の送信電力を変更する。送信電力の変更処理を完了すると、基地局２０は、送信電力完了応答をアクセスネットワーク制御装置５０を介して（ｐ６２２）基地局管理装置６０に行う（ｐ６２３）。基地局管理装置６０は、変更後の送信電力データが付された、基地局２０の送信電力完了応答をデータベース作成部７１１ａに行なう（ｐ６２４）。
【００９２】
変更後の送信電力データが付された送信電力完了応答を基地局管理装置６０から受信すると、データベース作成部７１１ａは、ステップｓ７０３の処理に戻って、基地局２０の変更後の送信電力データから構成される新たな送信電力データセットを作成する。データベース作成部７１１ａは、作成された新たな送信電力データセットを記憶部７１１内の送信電力データセットテーブルに記録する。そして、ステップｓ７０４の処理に進んで、作成および記録された新たな送信電力データセットを対象とした処理が続行される。
【００９３】
所定数の送信電力データセットに対する受信電力測定が完了した場合（ステップｓ７０６で“ＹＥＳ”）、ステップｓ７０８に処理が進み、データベース作成部７１１ａは、データベースの作成処理を完了する（ｐ６２５）。
【００９４】
データ選択部７１１ｃは、基地局２０の運用中の送信電力データから構成される送信電力データセットに対応する受信電力データテーブルを、移動局１０の特定位置を検出する際に用いられるデータとしてデータベース内から選択して取得する。基地局２０の運用中の送信電力は、例えば、送信電力が設置時から変更されていない場合には設置時に設定された標準送信電力である。
【００９５】
以上のような処理を経てデータベース作成部７１１ａにより作成され、記憶部７１１ｄに記憶されたデータベースの一例を図１０および図１１に示す。実施形態に従ったデータベースは、送信電力データセットテーブルおよび受信電力データテーブルを含む。
【００９６】
図１０は、送信電力データセットテーブルの例図である。
図１０には、基地局番号が１〜ｋ（ｋは２以上の整数）であるｋ個の基地局２０の送信電力をそれぞれ変化させて作成および記録された送信電力データセットテーブルが示されている。
【００９７】
図１０に示すように、送信電力データセットテーブルの各行には、ｋ個の基地局２０の送信電力データから構成される送信電力データセットが記録される。記録される各基地局２０の送信電力データは、例えば、図１０に示すように、各基地局２０の最大送信電力からの減衰量（ｄＢ）である。
【００９８】
また、図１０に示すように、送信電力データセットテーブルの各行には、それぞれの送信電力データセットに対応する受信電力データテーブル番号が記録される。それぞれの送信電力データセットに対して受信電力データテーブル番号が記録されることにより、それぞれの送信電力データセットに対応する受信電力データテーブルの検索が可能になる。
【００９９】
図１１は、受信電力データテーブルの例図である。
図１１には、図１０に示したそれぞれの送信電力データセットに対応する受信電力データテーブルが示されている。
【０１００】
図１１には、図１０に示した受信電力データテーブル番号１０１に対応する受信電力データテーブルが一例として詳細に示されている。図１１では、その他の受信電力データテーブル番号に対応する受信電力データテーブルは、省略されているが、受信電力データテーブル１０１と同様の形式を有する。
【０１０１】
受信電力データテーブルには、例えば、図９に示した位置検出対象領域９００内の各分割領域について、ｋ個の基地局２０からそれぞれ受信した信号の受信電力データが記録される。記録される受信電力データは、例えば図１１に示すように、各基地局２０の送信電力に対する減衰量（ｄＢ）である。
【０１０２】
図１１に示した受信電力データテーブルの一例では、１〜１５の列番号ｌは、位置検出対象領域９００内の１〜１５の領域番号ｘにそれぞれ対応し、１〜１０の行番号ｒは、１〜１０の領域番号ｙにそれぞれ対応する。また、図１１に示した受信電力データテーブルの一例では、列番号ｌおよび行番号ｒで特定されるそれぞれの分割領域データは、列番号ｌと同じ領域番号ｘで行番号ｒと同じ領域番号ｙの分割領域における各基地局２０に対する受信電力データを含む。
【０１０３】
次に、移動局１０と基地局２０との接続後に行なわれる、実施形態に従った移動局の位置検出処理について説明する。以下で説明するように、移動局１０と基地局２０との接続後に行われる位置検出処理には、移動局位置登録処理、データベース選択処理、および特定領域検出処理が含まれる。
［第１実施形態］
図１２は、実施形態に従った移動局接続後の位置検出処理シーケンスの例図である。図１２には、移動局位置登録処理およびデータベース選択処理を含む移動局接続後の位置検出処理のシーケンスが示されている。
【０１０４】
移動局１０は、基地局２０によりカバーされる位置検出対象領域内に侵入すると、アクセスネットワーク制御装置５０を経て（ｐ１２０１）基地局２０から送信される報知情報を受信する（ｐ１２０２）。報知情報には、位置検出対象領域を示す位置エリア識別子（identification data、ＩＤ）が含まれており、移動局は、位置エリア識別子が示す位置検出対象領域内に自装置１０が存在すると判定し得る。
【０１０５】
移動局１０は、位置エリア識別子が示す位置検出対象領域内に自装置１０が存在すること示す位置情報の登録要求を基地局２０を介して（ｐ１２０３）アクセスネットワーク制御装置５０に行う（ｐ１２０４）。そして、アクセスネットワーク制御装置は、移動局１０の位置情報の登録を移動局位置情報登録及び削除部７１２ａに要求する（ｐ１２０５）。
【０１０６】
移動局位置情報登録及び削除部７１２ａは、移動局１０の位置情報を登録すると、移動局１０の位置情報の登録完了をアクセスネットワーク制御装置５０に通知する（ｐ１２０６）。アクセスネットワーク制御装置５０は、位置情報登録完了を基地局２０を介して（ｐ１２０７）移動局１０に通知する（ｐ１２０８）。
【０１０７】
アクセスネットワーク制御装置５０は、イベント条件を含む報知情報を基地局２０を介して（ｐ１２０９）移動局に送信する（ｐ１２１０）。イベント条件は、例えば、各基地局２０から受信した制御チャネルの受信電力レベルが所定レベルで変化するという条件である。
【０１０８】
移動局１０は、各基地局２０から送信された制御チャネルの受信電力を所定の時間間隔で測定する（ｐ１２１１）。
【０１０９】
移動局１０は、例えば、自装置１０が移動したことにより各基地局２０から受信した制御チャネルの受信電力レベルが所定レベルで変化して、イベント条件が発生したと判定する（ｐ１２１２）。移動局１０は、測定された各基地局２０に対する受信電力データが付されたイベント発生通知を、基地局２０を介して（ｐ１２１３）アクセスネットワーク制御装置５０に行なう（ｐ１２１４）。アクセスネットワーク制御装置５０は、各基地局２０に対する受信電力データを基地局管理装置６０に送信する（ｐ１２１５）。
【０１１０】
基地局管理装置６０の無線ネットワーク最適化部６１２は、受信した各基地局２０に対する受信電力データに基づき各基地局２０の送信電力を調整する（ｐ１２１６）。無線ネットワーク最適化部６１２は、各基地局２０の調整後の送信電力データが付された各基地局２０の送信電力変更指示をアクセスネットワーク制御装置５０に行なう（ｐ１２１７）。アクセスネットワーク制御装置５０は、調整後の送信電力データが付された送信電力変更指示を各基地局２０に行なう（ｐ１２１８）。
【０１１１】
各基地局２０は、アクセスネットワーク制御装置５０からの送信電力変更指示に付された調整後の送信電力データに従って送信電力を変更する。移動局１０は、送信電力変更後の各基地局２０からの制御チャネルの受信電力を測定し、プロセスｐ１２１２で発生したイベントが消滅したと判定する（ｐ１２１９）。
【０１１２】
各基地局２０は、送信電力の変更完了をアクセスネットワーク制御装置５０に通知する（ｐ１２２０）。アクセスネットワーク制御装置５０は、各基地局２０の送信電力の変更完了を基地局管理装置６０に通知する（ｐ１２２１）。基地局管理装置６０は、各基地局２０の変更後の送信電力データを移動局位置情報管理装置７０に送信する。
【０１１３】
以上のような送信電力変更処理がなされると、移動局位置情報管理装置７０は、位置検出対象領域内に存在する移動局１０の特定領域を検出するために用いられるデータベース内のデータを各基地局２０の変更後の送信電力に従って選択（再選択）する（ｐ１２２３）。
【０１１４】
図１３は、第１実施形態に従ったデータベース選択処理フローの例図である。
図１３に示した第１実施形態に従ったデータベース選択処理は、無線ネットワーク最適化部６１２により各基地局２０の送信電力が調整される度に実行される。
【０１１５】
ステップｓ１３０１において、データ検索部７１１ｂは、各基地局２０の変更後の送信電力データから構成される送信電力データセットを記憶部７１１ｄに既に記録されている送信電力データセットテーブル内から検索する。すなわち、データ検索部７１１ｂは、各基地局２０の変更後の送信電力データの組み合わせと同一の送信電力データセットを送信電力データセットテーブル内から検索する。
【０１１６】
データ検索部７１１ｂによる検索の結果、各基地局２０の変更後の送信電力データから構成される送信電力データセットが送信電力データセットテーブル内に存在する場合（ステップｓ１３０２で“ＹＥＳ”）、ステップｓ１３０３に処理は進む。
【０１１７】
ステップｓ１３０３において、データ選択部７１１ｃは、各基地局２０の変更後の送信電力データから構成される送信電力データセット対応する受信電力データセットテーブルを移動局１０の特定領域検出処理に用いられるデータとして選択する。
【０１１８】
一方、データ検索部７１１ｂによる検索の結果、各基地局２０の変更後の送信電力データから構成される送信電力データセットが送信電力データセットテーブル内に存在しない場合（ステップｓ１３０２で“ＮＯ”）、ステップｓ１３０４に処理は進む。
【０１１９】
ステップｓ１３０４において、データベース作成部７１１ａは、各基地局２０の変更後の送信電力データから構成される新たな送信電力データセットを作成する。そして、データベース作成部７１１ａは、新たに作成された送信電力データセットを送信電力データセットテーブルに記録する。
【０１２０】
ステップｓ１３０５において、データ検索部７１１ｂは、新たに作成および記録された送信電力データセットに近似する送信電力データセットを送信電力データセットテーブルから検索して選択する。
【０１２１】
ステップｓ１３０６において、データベース作成部７１１ａは、新たに作成および記録された送信電力データセットに対応する受信電力データテーブルを、ステップｓ１３０５で選択された送信電力データセットに対応する受信電力データテーブルを用いて作成する。
【０１２２】
ステップｓ１３０７において、データベース作成部７１１ａは、ステップｓ１３０３で新たに作成および記録された送信電力データセットと、ステップｓ１３０６で作成された受信電力データテーブルとを検索可能な１組として、記憶部７１１ｄ内のデータベースに記録する。
【０１２３】
ステップｓ１３０８において、データ選択部７１１ｃは、ステップｓ１３０６で作成された受信電力データテーブルを移動局１０の特定領域検出処理に用いられるデータとして選択する。
【０１２４】
ステップｓ１３０１〜ステップｓ１３０８における処理が完了すると、一連のデータベース選択処理は完了する（ｓ１３０９）。
【０１２５】
ステップｓ１３０５およびステップｓ１３０６における処理の一例を説明する。
まず、ステップｓ１３０５において、データ検索部７１１ｂは、例えば、各基地局２０の変更後の送信電力データから構成される送信電力データセットに近い値を有する隣接の２つの送信電力データセットを送信電力データセットテーブル内から検索して選択する。
【０１２６】
例えば、ステップｓ１３０４で新たに作成および記録された送信電力データセットを構成するｋ個の基地局２０それぞれの変更後の送信電力データを、ＣＰ１、ＣＰ２、・・・、ＣＰｋとする。また、このデータベース選択処理開始前に送信電力データセットテーブル内に既に記録されている任意の送信電力データセットを構成するｋ個の基地局２０それぞれの送信電力データを、ＤＰ１、ＤＰ２、・・・、ＤＰｋとする。データ検索部７１１ｂは、このデータベース選択処理開始前に送信電力データセットテーブル内に既に記録されているすべての送信電力データセットを対象に、ｋ個の基地局２０それぞれの変更後の送信電力データと、任意の送信電力データセット中のｋ個の基地局２０それぞれの送信電力データとの間のデータ間距離Ｌを式（１）を用いて計算する。
【０１２７】
【数１】
0005851914.tif 000002
データ検索部７１１ｂは、このデータベース選択処理開始前に送信電力データセットテーブル内に既に記録されているすべての送信電力データセットの中で、計算されたデータ間距離Ｌが最も小さい値である送信電力データセットをまず検索して選択する。選択された送信電力データセットを第１送信電力データセットと便宜的に称することとする。選択された第１送信電力データセット中のｋ個の基地局２０それぞれの送信電力データをＰａ１、Ｐａ２、・・・、Ｐａｋとすると、前述の式（１）は、次の式（２）のように表される。
【０１２８】
【数２】
0005851914.tif 000003
式（２）で表されるＬ１は、第１送信電力データセットと基地局２０の変更後の送信電力データから構成される送信電力データセットとの間のデータ間距離である。
【０１２９】
データ検索部７１１ｂは、式（２）で表されるデータ間距離Ｌ１の右辺を構成する二乗前の各項（Ｐａ１−ＣＰ１）、（Ｐａ２―ＣＰ２）、・・・、（Ｐａｋ−ＣＰｋ）の中で０以外である項を検出する。
【０１３０】
データ検索部７１１ｂは、検出された項に対応する項のプラスまたはマイナスの符号が検出された項の符号と逆になる、または検出された項に対応する項の値が０となる送信電力データセットを送信電力データセットテーブル内から検索する。例えば、検索対象の送信電力データセットテーブルの各送信電力データをＰｓ１、Ｐｓ２、・・・、Ｐｓｋとすると、データ検索部７１１ｂは、（Ｐａ１−ＣＰ１）がマイナスであるときは、対応する（Ｐｓ１−ＣＰ１）がプラスになる、または（Ｐｓ１−ＣＰ１）が０となる送信電力データセットを検索する。
【０１３１】
データ検索部７１１ｂは、検索されたすべての送信電力データセットを対象に、前述の式（１）を用いてデータ間距離Ｌを計算する。そして、データベース作成部７１１ａは、検索されたすべての送信電力データセットの中で、計算されたデータ間距離Ｌが最も小さい値である送信電力データセットを選択する。選択された送信電力データセットを第２送信電力データセットと便宜的に称することとする。
【０１３２】
選択された第２送信電力データセット中のｋ個の基地局２０それぞれの送信電力をＰｂ１、Ｐｂ２、・・・、Ｐｂｋとすると、ＣＰα、Ｐａα、およびＰｂα（αは１〜ｋまでの整数）の間には、次の式（３）または式（４）の関係が成り立つ。
【０１３３】
【数３】
0005851914.tif 000004
【０１３４】
【数４】
0005851914.tif 000005
式（３）および式（４）から明らかな通り、各基地局２０の変更後の送信電力データの値は、第１および第２送信電力データセットを構成する各基地局２０の送信電力データの値の間に収まる。
【０１３５】
このように、一例として上述したステップｓ１３０５での処理により、基地局２０の変更後の送信電力データから構成される送信電力データセット近い値を有する隣接の２つの送信電力データセットを送信電力データセットテーブル内から選択することができる。
【０１３６】
次に、ステップｓ１３０６において、データベース作成部７１１ａは、ステップｓ１３０４で作成および記録された送信電力データセットに対応する受信電力データテーブルを、選択済みの第１および第２送信電力データセットに対応する受信電力データテーブルを用いて作成する。例えば、データベース作成部７１１ａは、次のような処理を行い作成する。
【０１３７】
第１送信電力データセットに対応する受信電力データテーブル内に存在する、位置検出対象領域の領域番号ｘがｍで領域番号ｙがｎの分割領域データを構成する各基地局２０の受信電力データをＰａｍｎ１、Ｐａｍｎ２、・・・、Ｐａｍｎｋとする（ｍおよびｎは、１以上の任意の整数）。図１１に示した受信電力データテーブルの例では、位置検出対象領域のＸ軸の領域番号ｘがｍでＹ軸の領域番号ｙがｎの分割領域データは、受信電力データテーブル中の列番号ｌがｍで行番号ｒがｎの位置に存在する。同様に、第２送信電力データセットに対応する受信電力データテーブル内に存在する領域番号ｘがｍで領域番号ｙがｎの分割領域データを構成する各基地局２０の受信電力データをＰｂｍｎ１、Ｐｂｍｎ２、・・・、Ｐｂｍｎｋとする。
【０１３８】
データベース作成部７１１ａは、ｋ個の基地局２０の変更後の送信電力データで構成される送信電力データセットに対応する受信電力データテーブル内に存在する領域番号ｘがｍで領域番号ｙがｎの分割領域データを構成する各基地局２０の受信電力データＣＰｍｎ１、ＣＰｍｎ２、・・・、ＣＰｍｎｋの各値を、次の式（５）〜式（９）を用いて計算および取得する。
【０１３９】
すなわち、Ｐａα＝ＣＰαであり、かつＣＰα≠Ｐｂα（αは１〜ｋの整数）であるときは、データベース作成部７１１ａは、ＣＰｍｎαを次の式（５）により取得する。
【０１４０】
【数５】
0005851914.tif 000006
Ｐｂα＝ＣＰαであり、かつＣＰα≠Ｐａαであるときは、データベース作成部７１１ａは、ＣＰｍｎαを次の式（６）により取得する。
【０１４１】
【数６】
0005851914.tif 000007
Ｐａα＝Ｐｂα＝ＣＰαであり、かつＰａｍｎα≠Ｐｂｍｎαであるときは、データベース作成部７１１ａは、ＣＰｍｎαを次の式（７）により算出および取得する。
【０１４２】
【数７】
0005851914.tif 000008
Ｐａα＜ＣＰα＜Ｐｂαであるときは、データベース作成部７１１ａは、ＣＰｍｎαを次の式（８）により算出および取得する。
【０１４３】
【数８】
0005851914.tif 000009
Ｐｂα＜ＣＰα＜Ｐａαであるときは、データベース作成部７１１ａは、ＣＰｍｎαを次の式（９）により算出および取得する。
【０１４４】
【数９】
0005851914.tif 000010
このように、一例として上述したステップｓ１３０６での処理により、ステップｓ１３０４で作成および記録された送信電力データセットに対応する受信電力データテーブルを、ステップｓ１３０５で選択された送信電力データセットに対応する受信電力データテーブルを用いて作成できる。
【０１４５】
なお、上述した一例では、式（３）および式（４）に示されるように、データ検索部７１１ｂは、各基地局２０の変更後の送信電力データが中間の値を有し、かつ各基地局２０の変更後の送信電力データセットに１番目および２番目に値が近似する２つの送信電力データセットを選択した。また、式（７）〜式（９）に示されるように、データベース作成部７１１ａは、選択された２つの送信電力データセットそれぞれに対応する受信電力テーブルの間で、分割領域データを構成する各基地局２０に対する受信電力データの重み付け平均を取ることにより、各基地局２０の変更後の送信電力データセットに対応する受信電力データテーブルを作成した。
【０１４６】
しかしながら、ステップｓ１３０５およびステップｓ１３０６における処理は、上述の例に限定されない。
【０１４７】
例えば、データ検索部７１１ｂは、各基地局２０の変更後の送信電力データよりも大きい値を有し、かつ各基地局２０の変更後の送信電力データセットと１番目および２番目に値が近似する２つの送信電力データセットを選択してもよい。また、データベース作成部７１１ａは、選択された２つの送信電力データセットそれぞれに対応する受信電力テーブルを比較し、分割領域データ構成する各基地局２０に対する受信電力データの増分をそれぞれ計算する。そして、データベース作成部７１１ａは、計算された増分を１番目に値が近似する送信電力データセットに対応する受信電力テーブル中の分割領域データを構成する受信電力データにそれぞれ減算し、各基地局２０の変更後の送信電力データセットに対応する受信電力データテーブルを作成してもよい。
【０１４８】
また、データ検索部７１１ｂは、各基地局２０の変更後の送信電力データよりも小さい値を有し、かつ各基地局２０の変更後の送信電力データセットと１番目および２番目に値が近似する２つの送信電力データセットを選択してもよい。また、データベース作成部７１１ａは、選択された２つの送信電力データセットそれぞれに対応する受信電力テーブルを比較し、分割領域データを構成する各基地局２０に対する受信電力データの減少分をそれぞれ計算する。そして、データベース作成部７１１ａは、計算された減少分を１番目に値が近似する送信電力データセットに対応する受信電力テーブル中の分割領域データを構成する受信電力データにそれぞれ加算し、各基地局２０の変更後の送信電力データセットに対応する受信電力データテーブルを作成してもよい。
【０１４９】
以上のように、基地局の送信電力が調整される移動通信システムにおいて、移動局の特定領域検出に用いられるデータベースは、調整後の基地局の送信電力に従って選択または作成される。
【０１５０】
したがって、実施形態に従えば、基地局の送信電力が変更されても、移動局１０の位置を正確に検出することができる。
【０１５１】
また、実施形態では、運用中に調整された基地局の送信電力に従って、移動局の位置検出に用いられるデータベースが作成される。
【０１５２】
したがって、実施形態に従えば、基地局の運用実績に従ったデータベースを作成でき、送信電力のあらゆる変更を想定した膨大なデータベースを予め用意する必要がない。また、基地局の運用実績に従ったデータベースを用いることにより、移動局の特定位置の検出を迅速且つ効率的に実行できる。
【０１５３】
図１２および図１３を参照しながら上述した移動局位置登録処理、または移動局位置登録処理およびデータベース選択処理の後に、移動局１０の位置情報を用いて情報提供するアプリケーションソフトウェアに従う装置から移動局位置情報管理装置７０に移動局１０の位置情報要求がなされる。移動局位置情報管理装置７０は、位置情報要求に従って、位置検出対象領域内に存在する移動局１０の特定領域を検出し、検出された特定領域をアプリケーションソフトウェアに従う装置に報告する。
【０１５４】
図１４は、実施形態に従った特定領域検出処理シーケンスの例図である。図１５は、第１実施形態に従った特定領域検出処理フローの例図である。
【０１５５】
ステップｓ１５０１において、位置情報利用装置１００は、移動局１０が存在する特定領域を示す位置情報の提供を移動局位置情報管理装置７０に要求する（ｐ１４０１）。位置情報利用装置１００は、例えば、前述したような特定領域に存在する移動局１０に情報を提供するアプリケーションソフトウェアに従う外部の装置である。
【０１５６】
移動局位置情報管理装置７０は、図１２を参照しながら前述した移動局位置登録処理により移動局１０が位置検出対象領域内に存在することを判定し得る。そこで、ステップｓ１５０２において、移動局位置情報管理装置７０は、移動局１０が存在する位置における各基地局２０から送信された信号の受信電力の測定をアクセスネットワーク制御装置５０に指示する（ｐ１４０２）。
【０１５７】
アクセスネットワーク制御装置５０は、移動局１０が位置検出対象領域内のどこに存在するかを判定し得ず、移動局１０が何れの基地局２０と接続可能であるかを判定し得ない。そこで、アクセスネットワーク制御装置５０は、移動局位置情報管理装置７０からの指示を受けると、位置検出対象領域内の通信をカバーする各基地局２０に、移動局１０の呼び出し（ページング）を要求する（ｐ１４０３）。
【０１５８】
各基地局２０は、アクセスネットワーク制御装置５０からの呼び出し要求を受けると、移動局１０の呼び出しを行なう（ｐ１４０４）。移動局１０は、基地局２０からの呼び出しを受信すると、自装置１０が存在するセル２０ｃを有する特定の基地局２０に呼び出しに対する応答を行なう（ｐ１４０５）。移動局１０からの応答を受けた特定の基地局２０は、アクセスネットワーク制御装置５０に、呼び出しに対する応答を行なう（ｐ１４０６）。そして、移動局１０、呼び出し応答を行なった特定の基地局２０、およびアクセスネットワーク制御装置５０の間にセッションが確立される（ｐ１４０７）。
【０１５９】
プロセスｐ１４０７でのセッション確立後、ステップｓ１５０３において、アクセスネットワーク制御装置５０は、位置検出対象領域内の通信をカバーする各基地局２０から送信された信号の受信電力の測定を特定の基地局２０を介して（ｐ１４０８）移動局１０に指示する（ｐ１４０９）。
【０１６０】
ステップｓ１５０４において、移動局１０は、位置検出対象領域内の通信をカバーする各基地局２０から送信された信号の受信電力を、自装置１０が存在する位置において測定する。そして、移動局１０は、測定された各基地局２０に対する受信電力の測定データから構成される受信電力データセットを、セッションが確立された特定の基地局２０を介して（ｐ１４１１）アクセスネットワーク制御装置５０に送信する（ｐ１４１２）。
【０１６１】
ステップｓ１５０５において、アクセスネットワーク制御装置５０は、移動局１０から受信した受信電力データセットを移動局位置情報管理装置７０に送信する（ｐ１４１３）。
【０１６２】
移動局位置情報管理装置７０は、データ選択部７１１ｃにより選択済みの受信電力データテーブル内から、受信電力データセットを構成する各基地局２０の受信電力データと同一または近似する値を有する分割領域データを検索し、移動局１０の位置を検出する（ｐ１４１４）。プロセスｐ１４１４での処理の詳細は、例えば、次のステップｓ１５０６〜ステップｓ１５０９の通りである。
【０１６３】
ステップｓ１５０６において、移動局位置検出部７１２ｂは、受信電力データセットを構成する各基地局２０の受信電力データと、データ選択部７１１ｃにより選択済みの受信電力データテーブル内の各分割領域データを構成する各基地局２０の受信電力データとを比較する。そして、移動局位置検出部７１２ｂは、受信電力データセットと一致する分割領域データを、データ選択部７１１ｃにより選択済みの受信電力データテーブル内から検索する。
【０１６４】
ステップｓ１５０７において、移動局位置検出部７１２ｂは、データ選択部７１１ｃにより選択済みの受信電力データテーブル内に受信電力データセットと一致する分割領域データが存在するか否かを判定する。
【０１６５】
受信電力データセットと一致する分割領域データが存在する場合（ステップｓ１５０７で“ＹＥＳ”）、処理はステップｓ１５０８に進む。
【０１６６】
ステップｓ１５０８では、移動局位置検出部７１２ｂは、受信電力データセットと一致する分割領域データが示す特定領域を、移動局１０が存在する特定位置と判定することによって、移動局１０の特定位置を検出する。例えば、受信電力データセットと一致する分割領域データが示す領域番号ｘが３で領域番号ｙが４である場合、移動局位置検出部７１２ｂは、位置検出対象領域内の領域番号ｘが３で領域番号ｙが４の分割領域に移動局１０が存在すると判定することにより、移動局１０の特定位置を検出する。
【０１６７】
受信電力データセットと一致する分割領域データが存在しない場合（ステップｓ１５０７で“ＮＯ”）、処理はステップｓ１５０９に進む。
【０１６８】
ステップｓ１５０９では、移動局位置検出部７１２ｂは、データ選択部７１１ｃにより選択済みの受信電力データテーブル内で、受信電力データセットとの差分が小さい分割領域データを移動局１０が存在する特定領域と判定することにより、移動局１０の位置を検出する。例えば、移動局位置検出部７１２ｂは、次のような処理によって検出する。
【０１６９】
受信電力データセットを構成する各基地局２０に対する受信電力データをＲＰ１、ＲＰ２、・・・、ＲＰｋとする。また、データ選択部７１１ｃにより選択済みの受信電力データテーブル内に存在する、領域番号ｘがｍで領域番号ｙがｎの分割領域データを構成する各基地局２０に対する受信電力データをＰｃｍｎ１、Ｐｃｍｎ２、・・・、Ｐｃｍｎｋとする（ｍおよびｎは、以上の任意の整数）。移動局位置検出部７１２ｂは、データ選択部７１１ｃにより選択済みの受信電力データテーブル内に存在するすべての分割領域データを対象として、受信電力データセットと領域番号ｘがｍで領域番号ｙがｎの特定領域データとのデータ差分Ｄｍｎを次の式（１０）を用いて計算する。
【０１７０】
【数１０】
0005851914.tif 000011
移動局位置検出部７１２ｂは、計算されたデータ差分Ｄｍｎの中で最も小さい値のデータ差分Ｄｉｊを取得する（ｉおよびｊは、１以上の整数）。移動局位置検出部７１２ｂは、データ差分Ｄｉｊに対応する分割領域データが示す領域番号ｘがｉで領域番号ｙがｊの分割領域を移動局１０が存在する特定領域と判定することにより、移動局１０の特定位置を検出する。
【０１７１】
ステップ１５１０において、移動局位置検出部７１２ｂは、ステップｓ１５０８またはステップｓ１５０９で検出された移動局１０の特定位置を示す位置情報を位置情報利用装置１００に送信する（ｐ１４１５）。
【０１７２】
また、移動局位置検出部７１２ｂは、位置情報を移動局位置情報保持部７１２ｃに保持させる。移動局位置情報保持部７１２ｃに保持された位置情報は、例えば、次のような処理に用いることができる。すなわち、ステップｓ１５０９において最も小さい値の差分データＤｍｎが複数存在する場合、移動局位置検出部７１２ｂは、それらの複数の差分データＤｍｎに対応する分割領域の内、移動局位置情報保持部７１２ｃに既に保持されている位置情報に近い分割領域を移動局１０が存在する特定領域と判定する。
【０１７３】
ステップｓ１５０１〜ステップｓ１５１０の処理が完了すると、ステップｓ１５１１に処理は進み、一連の特定領域検出処理は完了する。
【０１７４】
以上のように、基地局の送信電力が調整される移動通信システムにおいて、移動局位置情報管理装置は、調整後の基地局の送信電力に従って選択または作成されたデータベース内のデータを用いて、位置検出対象領域内に存在する移動局１０の特定位置を検出する。したがって、実施形態に従えば、基地局の送信電力が変更されても、移動局１０の位置を正確に検出することができる。
［第２実施形態］
第１実施形態では、基地局２０の運用中の送信電力に対応する１つの受信電力データテーブルがデータベース選択処理によって選択および取得される。また、選択および取得された１つの受信電力データテーブルを用いて特定領域検出処理が行われる。
【０１７５】
第２実施形態では、基地局２０の運用中の送信電力に対応する複数の受信電力データテーブルがデータベース選択処理によって選択および取得され得る。そして、選択および取得された複数の受信電力データテーブルを用いて特定領域検出処理が行われ得る。
【０１７６】
まず、第２実施形態に従ったデータベース選択処理を説明する。
図１６は、第２実施形態に従ったデータベース選択処理フローの例図である。
【０１７７】
図１６に示した第２実施形態に従ったデータベース選択処理は、無線ネットワーク最適化部６１２により各基地局２０の送信電力が調整される度に実行される。例えば、図１２に示した移動局接続後の位置検出処理シーケンスでは、移動局位置情報管理装置７０は、図１２のプロセスｐ１２２３として図１６に示したデータベース選択処理を実行する。
【０１７８】
ステップｓ１６０１において、データ検索部７１１ｂは、各基地局２０の変更後の送信電力データから構成される送信電力データセットを記憶部７１１ｄに既に記録されている送信電力データセットテーブル内から検索する。
【０１７９】
データ検索部７１１ｂによる検索の結果、各基地局２０の変更後の送信電力データから構成される送信電力データセットが送信電力データセットテーブル内に存在する場合（ステップｓ１６０２で“ＹＥＳ”）、ステップｓ１６０５に処理は進む。ステップｓ１６０５において、データ選択部７１１ｃは、各基地局２０の変更後の送信電力の送信電力データから構成される送信電力データセットに対応する受信電力データテーブルを、特定領域検出処理に用いられるデータとして選択する。
【０１８０】
一方、データ検索部７１１ｂによる検索の結果、各基地局２０の変更後の送信電力データから構成される送信電力データセットが送信電力データセットテーブル内に存在しない場合（ステップｓ１６０２で“ＮＯ”）、ステップｓ１６０３に処理は進む。
【０１８１】
ステップｓ１６０３において、データ検索部７１１ｂは、各基地局２０の変更後の送信電力データの組み合わせに近似する複数の送信電力データセットを送信電力データセットテーブルから検索して選択する。
【０１８２】
例えば、データ検索部７１１ｂは、図１３のステップｓ１３０５における処理の一例として前述した処理と同様の処理によって、第１および第２送信電力データセットを検索して選択する。
【０１８３】
ステップｓ１６０４において、データ選択部７１１ｃは、データ検索部７１１ｂにより選択された複数の送信電力データセットそれぞれに対応する受信電力データテーブルを、特定領域検出処理に用いられるデータとして選択する。
【０１８４】
ステップｓ１６０１〜ステップｓ１６０５における処理が完了すると、一連のデータベース選択処理は完了する（ｓ１６０６）。
【０１８５】
以上のように、基地局の送信電力が調整される移動通信システムにおいて、移動局の位置検出に用いられるデータベース内のデータは、調整後の基地局の送信電力に従って選択される。
【０１８６】
したがって、実施形態に従えば、基地局の送信電力が変更されても、移動局１０の位置を正確に検出することができる。
【０１８７】
図１２を参照しながら前述した移動局位置登録処理、または図１６を参照しながら前述したデータベース選択処理後に、位置情報利用装置１００から移動局位置情報管理装置７０に移動局１０の位置情報要求がなされる。移動局位置情報管理装置７０は、位置情報要求に従って、位置検出対象領域内に存在する移動局１０の特定領域を検出し、検出された特定領域を位置情報利用装置１００に報告する。
【０１８８】
次に第２実施形態に従った移動局位置検出処理を図１２および図１７を参照しながら説明する。なお、図１６のステップｓ１６０５による処理の結果、データ選択部７１１ｃにより選択済みの受信電力データテーブルが１つである場合には、図１５を参照しながら前述した第１実施形態の特定領域検出処理が行われ得る。
【０１８９】
図１７は、第２実施形態に従った特定領域検出処理フローの例図である。
ステップｓ１７０１において、位置情報利用装置１００は、移動局１０が存在する特定領域を示す位置情報の提供を移動局位置情報管理装置７０に要求する（ｐ１４０１）。
【０１９０】
ステップｓ１７０２において、移動局位置情報管理装置７０は、移動局１０が存在する位置における各基地局２０から送信された信号の受信電力の測定をアクセスネットワーク制御装置５０に指示する（ｐ１４０２）。アクセスネットワーク制御装置５０は、移動局位置情報管理装置７０からの指示を受けると、位置検出対象領域内の通信をカバーする各基地局２０に、移動局１０の呼び出しを要求する（ｐ１４０３）。
【０１９１】
各基地局２０は、アクセスネットワーク制御装置５０からの呼び出し要求を受けると、移動局１０の呼び出しを行なう（ｐ１４０４）。移動局１０は、基地局２０からの呼び出しを受信すると、自装置１０が存在するセル２０ｃを有する特定の基地局２０に呼び出しに対する応答を行なう（ｐ１４０５）。移動局１０からの応答を受けた特定の基地局２０は、アクセスネットワーク制御装置５０に、呼び出しに対する応答を行なう（ｐ１４０６）。そして、移動局１０、呼び出し応答を行なった特定の基地局２０、およびアクセスネットワーク制御装置５０の間にセッションが確立される（ｐ１４０７）。
【０１９２】
ステップｓ１７０３において、アクセスネットワーク制御装置５０は、位置検出対象領域内の通信をカバーする各基地局２０から送信された信号の受信電力の測定を特定の基地局２０を介して（ｐ１４０８）移動局１０に指示する（ｐ１４０９）。
【０１９３】
ステップｓ１７０４において、移動局１０は、位置検出対象領域内の通信をカバーする各基地局２０から送信された信号の受信電力を、自装置１０が存在する位置において測定する。そして、移動局１０は、測定された各基地局２０に対する受信電力の測定データから構成される受信電力データセットを、セッションが確立された特定の基地局２０を介して（ｐ１４１１）アクセスネットワーク制御装置５０に送信する（ｐ１４１２）。
【０１９４】
ステップｓ１７０５において、アクセスネットワーク制御装置５０は、移動局１０から受信した受信電力データセットを移動局位置情報管理装置７０に送信する（ｐ１４１３）。
【０１９５】
移動局位置情報管理装置７０は、データ選択部７１１ｃにより選択済みの複数の受信電力データテーブル内から、受信電力データセットを構成する各基地局２０の受信電力データと同一または近似する値を有する分割領域データを検索し、移動局１０の位置を検出する（ｐ１４１４）。プロセスｐ１４１４での処理の詳細は、例えば、次のステップｓ１７０６〜ステップｓ１７０９の通りである。
【０１９６】
ステップｓ１７０６において、移動局位置検出部７１２ｂは、受信電力データセットと、データ選択部７１１ｃにより選択済みの複数の受信電力データテーブル中の各分割領域データとを比較する。そして、移動局位置検出部７１２ｂは、データ選択部７１１ｃにより選択済みの複数の受信電力データセットのそれぞれの中から、受信電力データセットと一致する分割領域データを検索する。
【０１９７】
ステップｓ１７０７において、移動局位置検出部７１２ｂは、データ選択部７１１ｃにより選択済みの複数の受信電力データテーブルのそれぞれについて、受信電力データセットと一致する分割領域データが存在するか否かを判定する。
【０１９８】
データ選択部７１１ｃにより選択済みの何れの受信電力データテーブル内にも受信電力データセットと一致する分割領域データが存在しない場合（ｓ１７０７で“ＮＯ”）、ステップｓ１７１０に処理は進む。
【０１９９】
一方、データ選択部７１１ｃにより選択済みの何れかの受信電力データテーブル内に受信電力データセットと一致する分割領域データが存在する場合、ステップｓ１７０８に処理は進む。
【０２００】
ステップｓ１７０８において、移動局位置検出部７１２ｂは、受信電力データセットと一致する分割領域データを選択する。そして、ステップｓ１７０９において、移動局位置検出部７１２ｂは、データ選択部７１１ｃにより選択済みの複数の受信電力データテーブルの中に、受信電力データセットと一致する分割領域データが存在しない受信電力データテーブルがあるか否かを判定する。
【０２０１】
受信電力データセットと一致する分割領域データが存在しない受信電力データテーブルがない場合（ステップｓ１７０９で“ＮＯ”）、データ選択部７１１ｃにより選択済みの複数の受信電力データテーブルのそれぞれの中に、受信電力データセットと一致する分割領域データが存在することになる。この場合、ステップｓ１７１１に処理は進む。
【０２０２】
一方、受信電力データセットと一致する分割領域データが存在しない受信電力データテーブルがある場合（ステップｓ１７０９で“ＹＥＳ”）、ステップｓ１７１０に処理は進む。
【０２０３】
ステップｓ１７１０において、移動局位置検出部７１２ｂは、受信電力データセットと一致する分割領域データが存在しない受信電力データテーブルの中から受信電力データセットとの差分が小さい分割領域データを選択する。
【０２０４】
例えば、移動局位置検出部７１２ｂは、受信電力データセットと一致する分割領域データが存在しない受信電力データテーブルについて、図１５のｓ１５０９における処理の一例として前述した処理と同様の処理を実行し、受信電力データセットとの差分が小さい分割領域データを選択する。
【０２０５】
ステップｓ１７１１において、移動局位置検出部７１２ｂは、データ選択部７１１ｃにより選択済みの複数の受信電力データテーブルのそれぞれの中から選択された分割領域データを用いて、移動局１０が存在する特定領域を検出する。
【０２０６】
例えば、データ選択部７１１ｃにより選択済みの複数の受信電力データテーブルのそれぞれの中から選択された分割領域データが示す領域番号ｘおよび領域番号ｙがそれぞれ一致する場合、移動局位置検出部７１２ｂは、領域番号ｘおよび領域番号ｙで示される分割領域を移動局１０が存在する特定領域として検出する。
【０２０７】
一方、データ選択部７１１ｃにより選択済みの複数の受信電力データテーブルのそれぞれの中から選択された分割領域データが示す領域番号ｘおよび領域番号ｙが一致しない場合、移動局位置検出部７１２ｂは、選択された分割領域データを用いた重み付け平均により計算される分割領域を移動局１０が存在する特定領域として検出する。
【０２０８】
例えば、図１６を示して前述したように、第１および第２送信電力データセットそれぞれに対応する受信電力データテーブルが特定領域検出処理に用いられるデータとして選択されているとする。また、第１送信電力データセットに対応する受信電力データテーブルの中から、ステップｓ１７０８またはステップｓ１７１０においてＸ軸の領域番号ｍａでＹ軸の領域番号ｎａの分割領域データが選択されているとする。同様に、第２送信電力データセットに対応する受信電力データテーブルの中から、Ｘ軸の領域番号ｍｂでＹ軸の領域番号ｎｂの分割領域データが選択されているとする。この場合、移動局位置検出部７１２ｂは、次のような処理により移動局１０が存在する特定領域を検出する。
【０２０９】
まず、移動局位置検出部７１２ｂは、第１送信電力データセットに対応する受信電力データテーブルの中から選択された分割領域データと、受信電力データセットとの間のデータ間距離Ｌａを式（１）を用いて計算する。同様に、移動局位置検出部７１２ｂは、第２送信電力データセットに対応する受信電力データテーブルの中から選択された分割領域データと、受信電力データセットとの間のデータ間距離Ｌｂを計算する。
【０２１０】
次に、移動局位置検出部７１２ｂは、Ｘ軸の領域番号ｍａおよびｍｂ、Ｙ軸の領域番号ｎａおよびｎｂ、データ間距離ＬａおよびＬｂを用いて、次の式（１１）および式（１２）により移動局１０が存在する特定領域のＸ軸の領域番号ｍｓおよびＹ軸の領域番号ｍｓを計算する。
【０２１１】
【数１１】
0005851914.tif 000012
【０２１２】
【数１２】
0005851914.tif 000013
式（１１）および式（１２）において、関数Int{Ａ}は、Ａを少数点第一位で四捨五入して整数化する関数を示す。
【０２１３】
ステップｓ１７１２において、移動局位置検出部７１２ｂは、ステップｓ１７１１で検出された移動局１０の特定位置を示す位置情報を位置情報利用装置１００に送信する（ｐ１４１５）。
【０２１４】
また、移動局位置検出部７１２ｂは、位置情報を移動局位置情報保持部７１２ｃに保持させる。
【０２１５】
ステップｓ１７１２までの処理が完了すると、ステップｓ１７１３に処理は進み、ステップ１７０１から開始された一連の特定領域検出処理は完了する。
【０２１６】
以上のように、基地局の送信電力が調整される移動通信システムにおいて、移動局位置情報管理装置は、調整後の基地局の送信電力に従って選択または作成されたデータベース内のデータを用いて移動局１０の位置を検出する。したがって、実施形態に従えば、基地局の送信電力が変更されても、移動局１０の位置を正確に検出することができる。
【０２１７】
また、第２の実施形態によれば、調整後の基地局の送信電力と一致するデータベースがない場合には、データベース内の複数のデータを用いて移動局１０の位置を検出する。したがって、移動局１０が存在する特定位置をより正確に検出することができる。
【符号の説明】
【０２１８】
１      移動無線通信システム
１０      移動局
２０      基地局
３０      伝送ネットワーク
４０      コアネットワーク
５０      アクセスネットワーク制御装置
６０      基地局管理装置
７０      移動局位置情報管理装置
７１０      処理部
７１１      データベース処理部
７１１ａ      データベース作成部
７１１ｂ      データ検索部
７１１ｃ      データ選択部
７１１ｄ      記憶部
７１２      移動局位置情報処理部
７１２ａ      移動局位置情報登録及び削除部
７１２ｂ      移動局位置検出部
７１２ｃ      移動局位置情報保持部
７１３      通信制御部
７１３ａ      対アプリケーション通信制御部
７１３ｂ      対基地局通信制御部
７１３ｃ      対アクセスネットワーク制御装置通信制御部
７２０      制御部
７３０      伝送路インタフェース
８０      ユーザトラフィックゲートウェイ
９０      外部ネットワーク接続ゲートウェイ
１００      位置情報利用装置
【図１】
0005851914.tif 000014
【図２】
0005851914.tif 000015
【図３】
0005851914.tif 000016
【図４】
0005851914.tif 000017
【図５】
0005851914.tif 000018
【図６】
0005851914.tif 000019
【図７】
0005851914.tif 000020
【図８】
0005851914.tif 000021
【図９】
0005851914.tif 000022
【図１０】
0005851914.tif 000023
【図１１】
0005851914.tif 000024
【図１２】
0005851914.tif 000025
【図１３】
0005851914.tif 000026
【図１４】
0005851914.tif 000027
【図１５】
0005851914.tif 000028
【図１６】
0005851914.tif 000029
【図１７】
0005851914.tif 000030